(57)【特許請求の範囲】
【請求項１】
複数の端末装置からなるグループに属する各端末装置の宛先を含む端末情報を記憶する第１の記憶部と，
前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信する第１の受信部と，
前記第１の受信部により受信された配信要求に含まれる前記アクセス情報に基づいて前記配信情報にアクセスし，該配信情報を受信する第２の受信部と，
前記第２の受信部により受信された前記配信情報を記憶する第２の記憶部と，
前記第１の受信部により受信された配信要求に含まれる前記配信先情報および前記第１の記憶部に記憶された端末情報に基づいて配信先の端末装置の宛先を特定し，前記第２の記憶部に記憶された前記配信情報を，前記特定された宛先の端末装置に配信する第１の送信部と，更に
前記配信情報が有料の場合に，前記配信情報の代金を請求する装置からの代金請求を受信する第３の受信部と、
前記第３の受信部により受信された、前記グループに属する端末装置のうち前記配信要求に基づいて前記配信情報を配信する端末装置全てについての前記代金請求を，前記配信要求を送信した端末装置または該端末装置が加入している通信事業者に送信する第２の送信部を有する、
ことを特徴とする情報配信装置。
【請求項２】
通信ネットワークに接続される端末装置であって、
複数の端末装置からなるグループに属する各端末装置の宛先を含む端末情報を，通信ネットワークを介して，該通信ネットワークに接続された情報配信装置に登録する登録部と，
前記グループに属する端末装置の全てまたは一部に配信する配信情報へアクセスするために必要となるアクセス情報と，前記情報配信装置に登録されている前記端末情報から前記グループに属する配信先の端末装置を指定する配信先情報とを含む配信要求を前記情報配信装置に送信する送信部と，
前記配信情報が有料の場合に，前記配信情報の代金を請求する装置からの前記グループに属する端末装置のうち前記配信要求に基づいて前記情報配信装置が前記配信情報を配信する端末装置全てについての代金請求を、前記配信要求を送った情報配信装置から、若しくは当該端末装置が加入している通信事業者を通して受信する受信部を有する、
ことを特徴とする端末装置。
【請求項３】
複数の端末装置と情報配信装置とが通信ネットワークに接続された情報配信システムであって，
前記端末装置は，複数の端末装置からなるグループに属する各端末装置の宛先を含む端末情報を，通信ネットワークを介して，前記情報配信装置に登録する登録部と，
前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する送信部と，を備え，
前記情報配信装置は，前記端末装置の前記登録部により登録された端末情報を記憶する第１の記憶部と，
前記送信部により送信された前記配信要求を受信する第１の受信部と，
前記第１の受信部により受信された配信要求に含まれる前記アクセス情報に基づいて前記配信情報にアクセスし，該配信情報を受信する第２の受信部と，
前記第１の受信部により受信された配信要求に含まれる前記配信先情報および前記第１の記憶部に記憶された端末情報に基づいて配信先の端末装置の宛先を特定し，前記第２の受信部により受信された配信情報を，前記特定された宛先の端末装置に配信する配信部と，更に
前記配信情報が有料の場合に，前記配信情報の代金を請求する装置からの代金請求を受信する第３の受信部と、
前記第３の受信部により受信された、前記グループに属する端末装置のうち前記配信要求に基づいて前記配信情報を配信する端末装置全てについての前記代金請求を，前記配信要求を送信した端末装置または当該端末装置が加入している通信事業者に送信する第２の送信部を有する、
ことを特徴とする情報配信システム。
【請求項４】
複数の端末装置からなるグループに属する各端末装置の宛先を含む端末情報を記憶したサーバ装置が行う情報配信方法であって，
前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信し，
前記受信された配信要求に含まれる前記アクセス情報に基づいて前記配信情報にアクセスして該配信情報を受信し，
前記受信された配信要求に含まれる前記配信先情報および前記記憶された端末情報に基づいて配信先の端末装置の宛先を特定し，前記受信された配信情報を，前記宛先の端末装置に配信し、
前記配信情報が有料の場合に，前記配信情報の代金を請求する装置からの代金請求を受信し、
前記受信された、前記グループに属する端末装置のうち前記配信要求に基づいて前記配信情報を配信する端末装置全てについての前記代金請求を，前記配信要求を送信した端末装置または当該端末装置が加入している通信事業者に送信する、
ことを特徴とする情報配信方法。
【請求項５】
通信ネットワークに接続された端末装置が行う情報配信方法であって，
複数の端末装置からなるグループに属する各端末装置の宛先を含む端末情報を，前記通信ネットワークを介して，該通信ネットワークに接続された情報配信装置に登録し，
前記グループに属する端末装置の全てまたは一部に配信する配信情報へアクセスするために必要となるアクセス情報と，前記情報配信装置に登録されている前記端末情報から前記グループに属する配信先の端末装置を指定する配信先情報とを含む配信要求を前記情報配信装置に送信し、
前記配信情報が有料の場合に，前記配信情報の代金を請求する装置からの代金請求を前記情報配信装置で受信し、更に
前記情報配信装置で受信された、前記グループに属する端末装置のうち前記配信要求に基づいて前記情報配信装置が前記配信情報を配信する端末装置全てについての前記代金請求を，前記情報配信装置から直接に、若しくは、加入している通信事業者を介して受信する、
ことを特徴とする情報配信方法。
【発明の詳細な説明】
【０００１】
【発明の属する技術分野】
本発明は，情報配信装置，情報配信システム，情報配信方法，および情報配信プログラムに関し，特に，複数の端末装置に情報を配信する情報配信装置，情報配信システム，情報配信方法，および情報配信プログラムに関する。
【０００２】
また，本発明は，情報を共有するための端末装置に関する。
【０００３】
【従来の技術】
インターネットやパソコン通信の普及により，通信ネットワークを介してさまざまな情報（コンテンツ）を簡単に検索し，参照することができるようになっている。
【０００４】
このような状況下，企業においては，ある社員が，通信ネットワークを介して得た情報を他の社員に伝える必要があるか，あるいは，伝えたい場合がある。また，私的なグループにおいても，そのグループのあるメンバが通信ネットワークを介して得た情報を他のメンバに伝える必要があるか，あるいは，伝えたい場合がある。すなわち，複数の社員，メンバ等の間で，情報を共有する必要があるか，あるいは，共有したい場合がある。
【０００５】
従来，このような情報の共有は，情報を最初に得た者が，共有相手に，その情報の保管場所を示すＷＥＢサイトのＵＲＬ（Uniform Resource Locators）を伝えることにより行われていた。共有相手は，自己の端末を使用して，伝えられたＵＲＬを指定し，ＷＥＢサイトにアクセスして，情報を獲得（参照）する。これにより，情報を最初に得た者と共有相手との間で，情報が共有される。
【０００６】
【発明が解決しようとする課題】
しかし，このような従来の情報の参照では，共有相手が自己の端末を用いてＵＲＬを指定する等の一連の操作を行う必要がある。したがって，操作が煩雑である場合には，共有相手に煩雑な操作を行わせることとなる。また，情報の格納場所にたどり着くまでの手続が複数である場合，たとえば複数の選択肢を選択する場合等には，最終的な格納場所にたどり着けないおそれもある。
【０００７】
さらに，使用する端末の違いにより，情報をそのまま送れない場合もある。たとえば，端末により表示部の形式が異なり，情報を，そのままの状態では表示部に表示できない場合もある。
【０００８】
さらに，従来の情報共有方法では，情報が有料である場合には，情報参照のための費用を共有相手に負担させることとなる。このため，共有相手が，共有すべき情報へのアクセスを躊躇する場合もあり，情報共有がスムーズに行われない場合もあった。
【０００９】
本発明は，このような状況に鑑みなされたものであり，その目的は，情報共有相手が煩雑または複雑な手続を負担することなく，情報を共有できるようにすることにある。
【００１０】
また，本発明の他の目的は，情報共有相手に，情報を得るための費用の負担をさせないことにある。
【００１１】
【課題を解決するための手段】
前記目的を達成するために，本発明の第１の側面による情報共有装置は，複数の端末装置からなるグループに属する各端末装置の宛先を含む端末情報を記憶する第１の記憶部と，前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信する第１の受信部と，前記第１の受信部により受信された配信要求に含まれる前記アクセス情報に基づいて前記配信情報にアクセスし，該配信情報を受信する第２の受信部と，前記第２の受信部により受信された前記配信情報を記憶する第２の記憶部と，前記第１の受信部により受信された配信要求に含まれる前記配信先情報および前記第１の記憶部に記憶された端末情報に基づいて配信先の端末装置の宛先を特定し，前記第２の記憶部に記憶された前記配信情報を，前記特定された宛先の端末装置に配信する第１の送信部と，を備えている。
【００１２】
また，本発明の第１の側面による情報共有方法は，複数の端末装置からなるグループに属する各端末装置の宛先を含む端末情報を記憶したサーバ装置が行う情報配信方法であって，前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信し，前記受信された配信要求に含まれる前記アクセス情報に基づいて前記配信情報にアクセスして該配信情報を受信し，前記受信された配信要求に含まれる前記配信先情報および前記記憶された端末情報に基づいて配信先の端末装置の宛先を特定し，前記受信された配信情報を，前記宛先の端末装置に配信するものである。
【００１３】
本発明の第１の側面によると，配信情報が，グループに属する，ある端末装置からの配信要求に応じて，同グループに属する端末装置の全部または一部に送信される。これにより，グループに属する端末装置間では，配信された情報が共有される。また，配信要求を送信した端末装置以外の端末装置（のユーザ）に，情報を参照（獲得）するための手続を負担させることなく，情報の共有が行われる。
【００１４】
また，有料の情報を参照（獲得）するための費用を，配信要求を出した端末装置（のユーザ）が負担することにより，他の端末装置（のユーザ）には，情報を参照（獲得）するための費用を負担させることなく，情報の共有が行われる。
【００１５】
また，本発明の第２の側面による端末装置は，複数の端末装置からなるグループに属する各端末装置の宛先を含む端末情報を，通信ネットワークを介して，該通信ネットワークに接続された情報配信装置に登録する登録部と，前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する送信部と，を備えている。
【００１６】
本発明の第２の側面による情報配信方法は，通信ネットワークに接続された端末装置が行う情報配信方法であって，複数の端末装置からなるグループに属する各端末装置の宛先を含む端末情報を，前記通信ネットワークを介して，該通信ネットワークに接続された情報配信装置に登録し，前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信するものである。
【００１７】
本発明の第２の側面によると，情報配信装置に登録されたグループに属する端末装置には，同グループのある端末装置が情報配信要求を送信するにより，情報が配信される。これにより，グループに属する端末装置間では，配信された情報が共有される。また，配信要求を送信した端末装置以外の端末装置（のユーザ）に，情報を参照（獲得）するための手続を負担させることなく，情報の共有が行われる。
【００１８】
さらに，本発明の第３の側面による情報配信システムは，複数の端末装置と情報配信装置とが通信ネットワークに接続された情報配信システムであって，前記端末装置は，複数の端末装置からなるグループに属する各端末装置の宛先を含む端末情報を，通信ネットワークを介して，前記情報配信装置に登録する登録部と，前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する送信部と，を備え，前記情報配信装置は，前記端末装置の前記登録部により登録された端末情報を記憶する第１の記憶部と，前記送信部により送信された前記配信要求を受信する第１の受信部と，前記第１の受信部により受信された配信要求に含まれる前記アクセス情報に基づいて前記配信情報にアクセスし，該配信情報を受信する第２の受信部と，前記第１の受信部により受信された配信要求に含まれる前記配信先情報および前記第１の記憶部に記憶された端末情報に基づいて配信先の端末装置の宛先を特定し，前記第２の受信部により受信された配信情報を，前記特定された宛先の端末装置に配信する配信部と，を備えている。
【００１９】
本発明の第３の側面によっても，前述した本発明の第１の側面および第２の側面と同様の作用効果を得ることができる。
【００２０】
【発明の実施の形態】
１．システム構成
図１は，本発明による通信ネットワークシステムの全体構成示すブロック図である。この通信ネットワークシステムは，通信ネットワークの一例としてインターネット１を有する。
【００２１】
インターネット１には，種々の情報またはサービスを提供するコンテンツプロバイダが運用／管理するコンテンツサーバ８と，グループの登録者（ユーザ），その登録者のグループおよびグループのメンバ（ユーザ）を登録および管理する管理サーバ９と，デパートのような企業が企業内の情報を格納し，企業内でのみ使用するために設置した企業内サーバ１０とが接続されている。
【００２２】
また，インターネット１には，各種通信事業者が運用／管理する通信ネットワークとして，たとえば，ＣＡＴＶ通信ネットワーク２，固定通信ネットワーク（たとえば電話回線網）３，および移動通信ネットワーク４が接続されている。これらの各種通信事業者ネットワーク２〜４には，各通信事業者ネットワークに加入したユーザが使用する端末５〜７がそれぞれ接続されている。
【００２３】
これらの端末５〜７は，加入している通信事業者ネットワーク２〜４をそれぞれ介してインターネット１に接続され，インターネット１を介して管理サーバ９およびコンテンツサーバ８と通信を行い，種々の情報へのアクセスおよび情報の参照（閲覧，視聴等）を行うとともに，サービスの提供を受けることができる。
【００２４】
端末５〜７（以下，総称して「端末７」という。また，２つの端末を区別する場合には「端末Ａ」および「端末Ｂ」，３つの端末を区別する場合には「端末Ａ」，「端末Ｂ」および「端末Ｃ」という。）には，コンピュータ，携帯電話，携帯情報端末（ＰＤＡ）に加えて，家電機器（たとえばテレビ），自動車等に組み込まれた情報端末も含まれる。
【００２５】
端末７は，通信機能を有するコンピュータと同様に，入力部７１（キーボード，マウス，ボタン等），表示部７２（ＣＲＴディスプレイ，液晶ディスプレイ等），通信部７３，処理部７４，およびメモリ７５を備えている。
【００２６】
通信部７３は，各通信事業者ネットワーク２〜４およびインターネット１を介して他の端末７，コンテンツサーバ８および管理サーバ９と通信を行う。処理部７４は，入力部７１，表示部７２，通信部７３およびメモリ７５を制御するとともに，入力部７１を介してユーザから入力されたデータおよび通信部７３から入力されたデータを処理し，処理結果をメモリ７５に記憶したり，表示部７２に表示したり，あるいは，通信部７３を介して通信ネットワーク２〜４およびインターネット１を介して管理サーバ９またはコンテンツサーバ８に送信する。
【００２７】
管理サーバ９は，通信部９１と，処理部９２と，データベース（記憶装置）９３とを備えている。通信部９１は，インターネット１を介して端末７またはコンテンツサーバ８等の他のサーバと通信を行う。処理部９２は，通信部９１およびデータベース９３の制御を行うとともに，後に詳述する端末情報登録，情報加工，および代金代行の処理を行う。データベース９３は，端末情報と，フィルタリング情報と，端末メニュー画面（後述）等の端末７の表示画面に表示される画面のデータとを格納している。
【００２８】
コンテンツサーバ８は，コンテンツをインターネット１を介して他のサーバ，ユーザの端末７等に提供するサーバである。図１では，コンテンツサーバ８を，代表的に１つのみ図示しているが，提供するコンテンツごとに複数のコンテンツサーバ８がインターネット１に接続されている。コンテンツサーバ８により提供される「コンテンツ」には，プログラム，商品情報，統計情報，天気情報，地図情報等の各種情報が含まれ，これらの情報は，テキストデータ，プログラムデータ，動画データ，静止画データ，音データ等の種々の形式（フォーマット）を有する。
【００２９】
管理サーバ９とコンテンツサーバ８との間には，あらかじめ契約等が結ばれている。これにより，管理サーバ９は，コンテンツの要求をコンテンツサーバ８に送信することにより，コンテンツサーバ８から，要求したコンテンツをダウンロードすることができるようになっている。一方，コンテンツサーバ８は，管理サーバ９に提供したコンテンツが有料の場合には，その代金を管理サーバ９を介して，そのコンテンツを最終的に受け取ったユーザ（端末７）またはそのユーザが加入する通信ネットワーク２〜４の通信事業者に請求（後述する代金回収代行依頼）することとなっている。
【００３０】
２．端末および管理サーバの各全体処理
図３（Ａ）は，端末７の全体の処理の流れを示すフローチャートであり，図３（Ｂ）は，管理サーバ９の全体の処理の流れを示すフローチャートである。
【００３１】
端末７は，まずユーザまたは通信ネットワーク２〜３からの入力待ち状態にある（Ｓ１）。ユーザにより入力部７１に入力が行われる，または，通信ネットワーク２〜３から通信部７３に入力が行われると，処理部７４は，この入力に従って，端末登録処理（Ｓ２），情報配信処理（Ｓ３），情報表示実行処理（ステップＳ４），および情報マーキング処理（Ｓ５）へと処理を進める。これら端末登録処理（Ｓ２），情報配信処理（Ｓ３），情報表示実行処理（Ｓ４），および情報マーキング処理（Ｓ５）の詳細については，後述する。
【００３２】
一方，管理サーバ９は，まずインターネット１からの通信データの入力待ち状態にある（Ｓ６）。インターネット１から通信部９１に通信データの入力があると，処理部９２は，この入力を分析して，端末登録処理（Ｓ７）および情報配信処理（Ｓ８）へと処理を進める。これら端末登録処理（Ｓ７）および情報配信処理（Ｓ８）の詳細についても後述する。
【００３３】
３．端末登録処理
図３（Ａ）のステップＳ２および図３（Ｂ）のステップＳ７の端末登録処理について説明する。
【００３４】
図１２は，端末登録処理の流れを示すシーケンス図である。図４は，端末７（端末Ａ）側の端末登録処理の流れを示すフローチャートであり，図８は，管理サーバ９側の端末登録処理の流れを示すフローチャートである。図２０は，端末７の表示部７２に表示される端末登録画面の一例であり，（Ａ）は端末登録メニュー画面であり，（Ｂ）は端末の登録が受け付けられた後の画面である。
【００３５】
なお，図１２のシーケンス図において，「キャリアａ」は，端末Ａが加入している通信事業者の通信ネットワーク２〜４または通信事業者（管理／運用会社）を意味する。すなわち，端末Ａと管理サーバ９またはコンテンツサーバ８との間の通信データを中継する場合には通信ネットワーク２〜４を意味し，後述するように代金回収代行依頼を行う場合には通信事業者を意味する。また，インターネット１は，図を簡略にするために省略されている。図１３〜図１９のシーケンス図においても同様である。
【００３６】
端末Ａは，登録者（ユーザ）からの入力部７１への入力が端末登録メニューの要求かどうかを判断し（Ｓ１１），入力が端末登録メニューの要求である場合には（Ｓ１１でＹＥＳ），管理サーバ９に端末登録メニューを要求する。管理サーバ９に端末登録メニューを要求するために必要となる管理サーバ９のＩＰアドレスまたはＵＲＬは，登録者によって端末７に入力されてもよいし，メモリ７５にあらかじめ記憶されている場合には，この記憶されたものを使用することもできる。
【００３７】
管理サーバ９は，端末登録メニューの要求に対し，端末登録メニューを端末Ａに送信する（Ｓ２１，Ｓ２２）。端末Ａは，端末登録メニューを受信すると（Ｓ１３でＹＥＳ），端末Ａの表示部７２に，図２０（Ａ）に示す端末登録メニューを表示する（Ｓ１４）。
【００３８】
登録者が，端末登録メニューを用いて，端末Ａの入力部７１から端末登録情報を入力すると（Ｓ１５でＹＥＳ），端末Ａは，入力された端末登録情報を管理サーバ９へ送信する（Ｓ１６）。
【００３９】
入力される端末登録情報には，グループ名，パスワード，および端末データ（端末名，端末番号，送信先，および端末種別）が含まれる。端末データは，そのグループに属するメンバの端末ごとに入力される。たとえば，メンバが３人いる場合には，３つの端末データが入力される。
【００４０】
端末データに含まれる「端末名」は，登録者が付与する端末７の名称である。「送信先」には，後述する共有情報の送信先端末のＩＰアドレスまたは電話番号が使用される。「端末番号」は，そのグループ内において，各端末をユニークに識別するための番号である。「端末種別」は，その端末７の表示部７２が，表示可能な情報（画像データ，テキストデータ等）の形態によって分類した端末の種類を表す。この端末種別として，本実施の形態では０，１，２，および３の整数が使用される。これら端末種別の数値に基づいて，配信情報の変換／フィルタリングの有無が判定される。この変換／フィルタリングについては，後に詳述する。
【００４１】
管理サーバ９は，端末Ａから端末登録情報を受信すると（Ｓ２３でＹＥＳ），端末登録情報をチェックし，データベース９３内の端末情報データベースに登録する。
【００４２】
図２は，端末情報データベースのデータ構造およびその内容を示している。端末情報データベースは，（Ａ）共通データおよび（Ｂ）端末データとから構成されている。
【００４３】
共通データは，コンテンツを共有するグループ名（ＡＢＣ），パスワード（非表示マーク「＊＊＊＊＊」），登録者の名称（Ａ），およびグループに属する端末数（３）から構成される。ここで，グループ名およびパスワードは，登録者が登録メニューに入力したものである。登録者の名称は，たとえば，登録者の端末Ａにあらかじめ登録されている名称が端末登録情報に組み込まれて端末Ａから管理サーバ９に送信される。端末数は，入力された端末データの個数が端末７または管理サーバ９によりカウントされ，登録される。端末データは，前述した端末メニューにおいて入力された端末データであり，グループに属する端末の個数分設けられる。
【００４４】
管理サーバ９における端末登録情報の具体的な登録処理は，次のように行われる。まず，登録されたグループが新規グループかどうかが判断される（Ｓ２４）。新規グループの場合には（Ｓ２４でＹＥＳ），共通情報および端末データが端末情報データベースに登録される。新規グループでない場合には（Ｓ２４でＮＯ），入力されたパスワードがチェックされる（Ｓ２７）。
【００４５】
パスワードが正しいときは（Ｓ２７でＯＫ），端末データが端末情報データベースに登録され（Ｓ２５），その後，端末登録完了が端末Ａに通知され（Ｓ２６），端末Ａでは，図２０（Ｂ）に示す画面が表示部７２に表示される（Ｓ１８）。パスワードが正しくないときは（Ｓ２７でＮＧ），パスワードの再入力が端末Ａに対して要求され（Ｓ２９），再度，ステップＳ２１からの処理が繰り返される。
【００４６】
これにより，管理サーバ９のデータベース９３にグループが登録される。
【００４７】
なお，図４のフローチャートにおいて，すべての判断ブロック（Ｓ１１，Ｓ１３，Ｓ１５，Ｓ１７）が“ＮＯ”である場合には，端末登録処理は行われず，端末Ａの処理は，図３（Ａ）のステップＳ３の情報配信処理に進むこととなる。同様にして，図８のフローチャートにおいて，判断ブロックＳ２１およびＳ２３においてともに“ＮＯ”である場合にも，管理サーバ９の処理は，図３（Ｂ）に示すステップＳ８の情報配信処理に進むこととなる。
【００４８】
また，１つのグループ内に登録者が２人以上いてもよいし，同じ登録者が，２以上のグループの登録者となる場合もある。さらに，あるメンバが２以上のグループのメンバとなる場合もある。
【００４９】
４．情報配信処理
図３（Ａ）のステップＳ３およびＳ４，ならびに図３（Ｂ）のステップＳ８の情報配信処理について説明する。
【００５０】
図１３は，情報配信処理の流れを示すシーケンス図である。図５は，端末７（端末ＡおよびＢ）側の情報配信処理（すなわち図３（Ａ）のステップＳ３の詳細な処理）の流れを示すフローチャートである。図６は，端末７（特に端末Ｂ）側の情報表示実行処理（すなわち図３（Ａ）のステップＳ４の詳細な処理）の流れを示すフローチャートである。図９は，管理サーバ９側の情報配信処理（すなわち図３（Ｂ）のステップＳ８の詳細な処理）の流れを示すフローチャートである。
【００５１】
なお，図１３のシーケンス図において，端末Ｂは，情報配信を受ける側の端末である。また，キャリアＢは，端末Ｂが加入しているキャリアであり，前述したキャリアＡと同様の意味に用いられている。図１４〜図１９においても同様である。
【００５２】
前述した登録者は，自己が保有する情報を，自己のグループに属するメンバと共有したいと考えた場合に，グループ名およびパスワードと，共有したい情報（共有情報）と，共有相手（グループのメンバ）を端末Ａの入力部７１に入力して，管理サーバ９に情報共有要求を送信する（Ｓ３１でＹＥＳ，Ｓ３２）。
【００５３】
グループ名およびパスワードは，認証にために使用される。共有情報の指定には，たとえば，共有の対象となる情報の格納場所を示すＵＲＬ（Uniform Resource Locator）が用いられる。また，共有相手の指定には，たとえば，共有相手となるメンバの端末番号（共有先の端末番号）またはグループ名が用いられる。メンバの端末番号には，グループの全メンバ（登録者を除く。）の端末番号を入力することもできるし，グループの一部のメンバの端末番号のみを入力することもできる。また，グループ名が指定された場合には，そのグループの全メンバ（登録者を除く。）が指定されたことになる。
【００５４】
端末Ａは，情報共有要求とともに，これらのＵＲＬおよび端末番号を管理サーバ９に送信する。
【００５５】
管理サーバ９は，情報共有要求を受信すると（Ｓ３５でＹＥＳ），受信した情報共有要求がマーキング情報（後述）であるか否かを判断する（Ｓ３６）。マーキング情報でない場合には（Ｓ３６でＮＯ），管理サーバ９は，共有情報をコンテンツサーバ８に要求してコンテンツサーバ８からダウンロードするとともに，一時的にその情報を保存する（Ｓ４１）。
【００５６】
その後，管理サーバ９は，情報フィルタリング処理（後述）が必要な場合には，フィルタリングを行い（Ｓ３８），共有先の端末Ｂ（グループの全端末または一部の端末）に，コンテンツサーバ８からダウンロードされた情報をキャリアｂ（およびインターネット１）を介して配信する（Ｓ３９〜Ｓ４１）。
【００５７】
配信された情報が端末Ｂの通信部７３により受信されると，端末Ｂにおける処理は，図３（Ａ）に示すフローチャートにおいて，ステップＳ１からステップＳ２に進む。ここで，ステップＳ２の処理（図４）における判断ブロックＳ１１，Ｓ１３，Ｓ１５およびＳ１７はすべて“ＮＯ”となるので，処理は，ステップＳ３に進む。ステップＳ３では，図６に示すように，配信された情報が，その情報の内容によって表示部７２に表示されるか，または，処理部７４によって実行される（Ｓ５１，Ｓ５２）。たとえば，配信された情報が静止画像データの場合には，表示部７２に表示され，ゲームプログラムの場合には，処理部７４により実行される。
【００５８】
続いて，コンテンツサーバ８から，代金請求を含む代金回収代行依頼が管理サーバ９に送信される。ここで，「代金回収代行依頼」とは，コンテンツサーバ８が情報を提供した代金の回収を，コンテンツサーバ８が端末Ａ（すなわち登録者）に対して行うのではなく，管理サーバ９（および登録者が加入しているキャリアａ）に代行させるための依頼である。通常，このような料金の請求は登録者が加入しているキャリアaが代行しているため，管理サーバ９はキャリアaに料金を請求することとなる（Ｓ４３，Ｓ４４）。
【００５９】
管理サーバ９は，料金の請求を登録者（キャリアａ）に変更した（付け替えた）ことを，代金請求完了通知としてコンテンツサーバ８に通知する（Ｓ４６）。
【００６０】
続いて，管理サーバ９は，端末Ｂに共有情報が受信されて情報共有が完了したことを示す情報共有完了通知をキャリアa（およびインターネット１）を介して端末Ａに送信する（Ｓ４６）。端末Ａは，情報共有完了通知を受信すると（Ｓ３３でＹＥＳ），表示部７２に情報配信結果を表示する（Ｓ３４）。一方，管理サーバ９は，一時的に保存していた共有情報を削除する（Ｓ４７）。
【００６１】
４．１．対戦型ゲームの情報配信
前述した情報配信の具体例として，対戦型ゲームの情報（すなわち対戦型ゲームプログラム）の配信について説明する。このような対戦型ゲームプログラムの配信は，たとえば，登録者が端末７上で楽しむことのできる最新の有料対戦ゲーム（ゲームプログラム）をコンテンツサーバ８からダウンロードしたが，対戦相手となる他のユーザの端末７が同じ対戦ゲームを所有していない場合に行われる。
【００６２】
図１４は，共有情報である対戦型ゲームプログラムの配信処理の流れを示すシーケンス図である。
【００６３】
図１４の最初に行われる処理Ａ（端末Ａからゲームプログラムを保有したコンテンツサーバ８へのゲームプログラム要求，コンテンツサーバ８から端末Ａへのゲームプログラムダウンロード，およびコンテンツサーバ８からキャリアａへの代金回収代行依頼）は，登録者（端末Ａのユーザ）がコンテンツサーバ８に直接アクセスして，ゲームプログラムをダウンロードする処理である。
【００６４】
この処理Ａの前または後に，登録者は，端末Ａを使用して，前述した端末登録処理により，友人等の仲間を複数人，グループのメンバとしてあらかじめ登録するか，あるいは，その都度登録する。なお，本具体例では，説明を簡潔にするため登録者を一人とする。これにより，ゲームの対戦相手の端末Ｂの端末情報が管理サーバ９の端末情報データベースに登録される。
【００６５】
登録後，登録者は，端末Ａを使用して，対戦型ゲームをしたい旨の通知を端末Ｂに送信するように管理サーバ９に要求する。管理サーバ９は，この要求に応答して端末Ｂに，登録者の通知を送信する。その後，端末Ａ（登録者）と端末Ｂ（対戦相手）との間で，対戦ゲームを行う同意がなされる。なお，端末Ａと端末Ｂとの間のこれらの通知および同意は，管理サーバ９を介することなく，両者の電話による会話，電子メールによる連絡等によって行ってもよい。
【００６６】
同意が成立すると，登録者は，端末Ａを使用して，共有情報指定（ゲームプログラムのＵＲＬ）および共有相手指定（端末Ｂの端末番号）とともに，情報共有要求を管理サーバ９に送信する。
【００６７】
管理サーバ９は，端末Ａから送信されたＵＲＬに基づいてコンテンツサーバ８にゲームプログラムを要求し，コンテンツサーバ８は，この要求に応じて，ゲームプログラムを管理サーバ９にダウンロードする。
【００６８】
管理サーバ９は，コンテンツサーバ８から与えられたゲームプログラムを一時保有するとともに，このゲームプログラムを端末Ｂにダウンロードする。端末Ｂは，ダウンロードされたゲームプログラムを保有する。
【００６９】
一方，コンテンツサーバ８は，ゲームプログラムをダウンロードした代金の回収依頼を管理サーバ９を介して，登録者が加入するキャリアａに送信する。すなわち，端末Ｂにゲームプログラムをダウンロードした料金を端末Ａのユーザである登録者が負担することとなる。
【００７０】
その後，管理サーバ９は，代金請求完了通知をコンテンツサーバ８に送信するとともに，情報共有完了通知を端末Ａに送信する。これにより，登録者は，端末Ｂにゲームプログラムがダウンロードされたことを知る。これにより，登録者および端末Ｂのユーザは，端末ＡおよびＢをそれぞれ使用し，キャリアａおよびｂを介してゲームをプレイすることができるようになる。
【００７１】
管理サーバ９は，情報共有完了通知の送信後，一時保有しているゲームプログラムを削除する。
【００７２】
このように，登録者は，友人等のメンバに情報（ゲームプログラム）の料金を負担させることなく，ゲームに誘うことができる。また，登録者は，メンバの端末７を登録した後，情報共有要求を送信するだけで，端末７からの複雑な操作をせずに，登録者が意図した行為を管理サーバ９に代行させることができる。
【００７３】
以上は，対戦ゲームを例に説明をしたが，対戦ゲームのほかに音楽，映像等の情報を共有することもできる。また，登録者は複数のメンバを登録することでメンバ同士での情報共有を簡単に行うことができることになる。
【００７４】
４．２．マーキングを施した情報の配信
「付加情報」の一例としてのマーキングおよびコメントの双方または一方を付加した情報をグループのメンバに配信し，共有することもできる。ここでは，配信された地図情報にマーキング（たとえば待ち合わせ場所等に印を付すこと）を施するとともに，待ち合わせ時間等のコメントを付加し，グループのメンバに配信する処理について説明する。
【００７５】
図１５は，マーキングを施した情報の配信の流れを示すシーケンス図である。図７は，端末７（端末Ａ，ＢおよびＣ）側の情報マーキング処理（すなわち図３（Ａ）のステップＳ５の詳細な処理）の流れを示すフローチャートである。図１０は，管理サーバ９側の情報マーキング処理（すなわち図９のステップＳ３７の詳細な処理）の流れを示すフローチャートである。図１１は，情報変換／フィルタリング処理（すなわち図９のステップＳ３８の詳細な処理）の流れを示すフローチャートである。図２１および図２２は，端末７の表示部７２に表示された地図情報にマーキングを施し，配信するまでの一連の表示画面の流れを示している。
【００７６】
登録者は，端末Ａを利用して，友人等の複数人の仲間をグループのメンバとして管理サーバ９にあらかじめ登録するか，あるいは，情報配信の直前等にその都度登録する。ここでは，登録者により登録されたメンバを２人とし，その使用する端末をそれぞれ端末ＢおよびＣとする。
【００７７】
登録者は，２人のメンバに待ち合わせ場所を知らせるために，端末Ａを使用して，コンテンツとして有料の地図情報をコンテンツサーバ８に直接要求し，コンテンツサーバ８から地図情報をダウンロードする。その後，代金回収代行依頼がコンテンツサーバ８からキャリアａに送信される。
【００７８】
ダウンロードされた地図情報は，端末Ａに保有され，図３のステップＳ４（図６のステップＳ５２）の情報表示実行処理により，端末Ａの表示部７２に表示される。図２１（Ａ）は，表示部７２に表示された地図情報の一例を示している。
【００７９】
登録者は，端末Ａの入力部７１を操作して，図２１（Ｂ）に示す黒丸のようにダウンロードされた地図情報にマーキングを施すことができる。このマーキングは，図２１（Ａ）および（Ｂ）に示す表示画面の左下部にある「マーク」ボタンを選択（クリック）した後，マーキングを施したい箇所をポインタ，カーソル等によって指定することにより行われる（Ｓ５５）。マーキングが施されると（Ｓ５５でＹＥＳ），マーキング情報と地図情報とは融合され（Ｓ５６），指定された箇所に，図２１（Ｂ）に示すように黒丸が表示される。
【００８０】
その後，登録者により表示画面下部にある「配信」ボタンが選択されると，図２２（Ａ）に示すように，「配信先選択」ダイアログボックスが表示される。登録されたグループの全端末への配信「全端末配信」または指定した一部の端末のみへの配信「端末指定配信」を選択することができる。ここでは，図２２（Ｂ）に示すように，「端末指定配信」が選択され，指定された端末として端末ＢおよびＣが入力されている。
【００８１】
続いて，表示画面下部にある「サービス」ボタンが選択されると，配信時間および配信先端末ごとのコメント入力用のダイアログボックスが表示される。「配信時間」には，指定された配信先端末（ここでは端末ＢおよびＣ）にこの地図情報が送信される時間を入力することができる。配信時間が指定されている場合には，管理サーバ９は，指定された配信時間に，地図情報とマーキング情報とコメントとを端末ＢおよびＣに送信することとなる。一方，「配信時間」の欄に何も入力しないこともでき，この場合には，管理サーバ９は，端末Ａからの情報共有要求受信後直ちに，地図情報とマーキング情報とコメントとを端末ＢおよびＣに送信することとなる。
【００８２】
このように配信時間を指定できる点が，配信後即時的に宛先の端末に情報が送信される従来の同報通信と異なる。また，後述するが，端末Ａが指定したマーキング情報と管理サーバ９が端末Ｂおよび端末Ｃのためにコンテンツサーバ８から取得した有料コンテンツ（ここでは地図情報）とを管理サーバ９が編集して，端末Ｂおよび端末Ｃに送信するとともに，管理サーバ９が有料コンテンツの取得費用を端末Ａに代行させることも，従来の同報通信と異なる。
【００８３】
また，このダイアログボックスには，配信先端末ごとにコメントを入力することができるようになっている。図２２（Ｂ）では，端末Ｂに対して「時間厳守のこと！」というコメントが付されている。コメントには，これ以外には，たとえば，準備のために早めの待ち合せ時間や準備する品物等の情報をメンバごとに個別に加えることや，メンバＣにはメンバＢが準備する品物と重ならないような品物をお願いする等の情報を入力することができる。
【００８４】
表示画面下部にある「実行」ボタンが登録者により選択されると（Ｓ５９でＹＥＳ），端末Ａは，マーキングおよびコメント（テキストデータ）ならびに通知時間指定とともに，情報共有要求を管理サーバ９に送信する（Ｓ６０）。
【００８５】
端末Ａから情報共有要求を受信した管理サーバ９は，コンテンツサーバ８に地図情報を２つ要求する。コンテンツサーバ８は，この要求に応答して，地図情報を２つ管理サーバ９にダウンロードする。
【００８６】
管理サーバ９は，地図情報を一時保有するとともに，この地図情報，ならびにマーキングおよびコメントを，指定された時間に端末ＢおよびＣに送信する。前述した図２２（Ｂ）の例では，コメントは端末Ｂに対してのみ入力されているので，コメントは，端末Ｂにのみ送信される。
【００８７】
また，この送信時に，管理サーバ９は，図１１のフローチャートに示すように，端末ＢおよびＣの端末種別に応じて，配信情報の加工（端末種別に従い変換およびフィルタリングの双方またはいずれか一方を実行）も行う。本実施の形態では，送信先の端末種別として，前述したように０，１，２および３の数値がある。
【００８８】
さまざまな配信情報を表示可能な端末には，端末種別０が付与される。したがって，端末種別０を有する端末に配信される情報には，変換／フィルタリングが行われない（Ｓ７１で０）。
【００８９】
一方，端末種別０以外の端末には，情報の変換／フィルタリングが行われる（Ｓ７１で０以外）。たとえば，端末種別１の端末に配信される情報には，画像変換／フィルタリング（たとえばＪＰＥＧ形式からビットマップ形式への変換，表示画面のサイズに応じた情報の拡大／縮小／削除等）が施される（Ｓ７３）。また，端末種別２の端末に配信される情報には，データ変換／フィルタリング（たとえばＸＭＬ（eXtensible Markup Language）からＨＴＭＬ等の言語の変換）が施される（Ｓ７４，Ｓ７５）。端末種別３の端末に配信される情報には，端末種別に応じた変換／フィルタリング（たとえば表示できない文字，画像等の削除（フィルタリング））が施される（Ｓ７６）。これらの処理後に，地図情報は，端末に送信される。
【００９０】
コンテンツサーバ８は，地図情報を管理サーバ９にダウンロード後，代金回収依頼を管理サーバ９を介してキャリアａに送信し，管理サーバ９は，代金請求完了通知をコンテンツサーバ８に送信する。
【００９１】
地図情報の配信後，管理サーバ９は，一時保有している，端末Ａからの地図情報およびマーキング情報，テキスト情報を削除する。
【００９２】
このように，登録者は，グループのメンバを登録することにより，端末から複雑な操作を行うことなく，登録者が意図した情報を意図した時点で，グループのメンバの端末属性を意識せず通知することができる。また，情報にマーキングを施すことにより，情報をユーザにとってより見やすくすることができる。さらに，情報にコメントを付加することにより，情報共有の付加価値を高めることができる。
【００９３】
特に，モバイル環境では，端末操作性の課題がある。本サービスのように登録者の意図を管理サーバ９が代行することにより，グループのメンバ間での情報共有を簡単に行うことができる。
【００９４】
なお，地図情報が無料の場合には，コンテンツサーバ８および管理サーバ９から代金回収代行依頼は送信されないし，また管理サーバ９から代金請求完了通知は送信されない。
【００９５】
また，登録者が手書きにより作成した地図にマーキング情報およびテキスト法情報を付加してものをグループのメンバに送信することもできる。この場合には，マーキング情報およびテキスト情報が付加された地図情報が端末Ａから管理サーバ９に送信され，管理サーバ９から端末ＢおよびＣに送信されることとなる。
【００９６】
４．３．ライセンスソフトウェアの配信
情報配信の他の具体例として，ライセンスソフトウェアの配信について説明する。図１６は，ライセンスソフトウェアの情報配信処理の流れを示すシーケンス図である。
【００９７】
端末Ａのユーザは，自らが登録者となり，端末Ａを使用して，前述した端末登録処理により，ソフトウェア配信先の端末（ここでは，端末ＢおよびＣ）をグループのメンバとしてあらかじめ登録するか，あるいは，配信の直前等にその都度登録を行う。
【００９８】
グループのメンバの登録の前または後において，登録者は，端末Ａを使用して，ライセンスソフトウェアを提供するコンテンツサーバ８にソフトウェア購入要求（登録者のみの１ライセンス分）を，購入したいソフトウェアの名称（または識別子）とともに送信する。
【００９９】
コンテンツサーバ８は，ソフトウェア購入要求を受けると，ソフトウェアおよびライセンス番号を端末Ａにダウンロードし，その後，代金回収代行依頼をキャリアａに対して送信する。これにより，登録者には，ソフトウェアのライセンスが供与され，端末Ａには，購入されたソフトウェアがダウンロードされる。
【０１００】
その後，登録者は，端末Ａを使用して，グループ内のメンバ用にソフトウェアを購入するために，グループソフトウェア購入要求を情報共有要求として管理サーバ９に送信する。このグループソフトウェア購入要求には，ダウンロードされたソフトウェアの名称（または識別子）と，ソフトウェア購入依頼先のＵＲＬと，ライセンスを２つ供与する旨と，ソフトウェアのダウンロード先の端末番号（端末ＢおよびＣの番号）とが含まれている。
【０１０１】
管理サーバ９は，端末Ａから送信されたＵＲＬに基づいて，コンテンツサーバ８にアクセスし，ソフトウェアの名称で示されるソフトウェアのダウンロードおよび２つのライセンスの供与を要求する。
【０１０２】
コンテンツサーバ８は，この要求に応じて，管理サーバ９にソフトウェアおよび２つのライセンス番号をダウンロードする。管理サーバ９は，ソフトウェアおよび２つのライセンス番号をコンテンツサーバ８から受け取り，ソフトウェアは２つの端末ＢおよびＣにダウンロードし，２つのライセンス番号は，端末ＢおよびＣにそれぞれ１つずつ送信する。これにより，端末ＢおよびＣにソフトウェアおよびその使用許可が与えられ，端末ＢおよびＣのユーザであるグループのメンバは，端末ＢおよびＣにおいて，ダウンロードされたソフトウェアを使用することができる。
【０１０３】
ソフトウェアおよびライセンス番号のダウンロード後，管理サーバ９は，ダウンロード先の端末番号（ＢおよびＣ），ソフトウェア名，ライセンス番号および購入日をデータベース９３に格納し，管理する。
【０１０４】
コンテンツサーバ８は，ソフトウェアのダウンロード後，管理サーバ９に代金回収代行依頼を送信し，管理サーバ９は，この依頼をキャリアａに行うとともに，代金請求完了通知をコンテンツサーバ８に送信する。これにより，登録者がソフトウェアの購入者であることが，コンテンツサーバ８に通知される。
【０１０５】
その後，管理サーバ９は，情報共有完了通知を端末Ａに送信する。この情報共有完了には，端末ＢおよびＣに送信された各ライセンス番号も含まれる。これにより，端末ＢおよびＣにおいても，ソフトウェアが利用可能であることおよびライセンス番号が登録者に通知される。
【０１０６】
続いて，管理サーバ９は，コンテンツサーバ８からダウンロードされたソフトウェアを削除する。
【０１０７】
このように，登録者は端末ＢおよびＣのユーザに通信料金やソフトウェア購入の代金の負担をさせることなく，ソフトウェアを利用させることができる。登録者は，本サービスの利用のために端末のユーザを登録するだけでよく，端末からの複雑な操作をすることなく，登録者が意図した行為を管理サーバ９に代行させることができる。
【０１０８】
また，ライセンスを購入するので何度もコンテンツサーバ８へソフトウェアをダウンロードするためにアクセスする必要もない。さらに，購入したソフトウェアおよびライセンス番号とその配信先端末を管理サーバ９に管理させ，必要なときにそれらの情報を受け取ることができるのでソフトウェアの運用管理を行うこともできる。
【０１０９】
４．４．デパート等の販売支援のための情報配信１
企業内に，コンテンツを提供する企業内サーバ（データベースシステムを含む。）１０が設置され，この企業内サーバ１０と管理サーバ９とが連携して情報配信を行うこともできる。
【０１１０】
ここでは，企業内サーバ１０を有する企業がデパートであり，企業内サーバ１０がデパートの商品情報を有するサーバであるとする。また，コンテンツサーバ８は，商品情報を有するサーバであるとする。
【０１１１】
以下では，顧客からの商品の問い合わせに対し，その企業内サーバ１０（データベース）の中に，顧客の問い合わせた商品の情報がない場合に，管理サーバ９が情報提供を代行する例を示す。
【０１１２】
図１７は，企業内サーバ１０と管理サーバ９とが連携して情報配信する処理の流れを示すシーケンス図である。図２８は，送受信データのデータ構造を示している。
【０１１３】
営業担当者と顧客Ａが会話している時に，顧客から商品に対する問い合わせがあったものと仮定する。営業担当者は，その問い合わせに対して，自己の有する知識では回答できないので，端末７（端末Ａ）を使用して企業内サーバ１０にアクセスし，その商品情報の検索を試みる。
【０１１４】
図２３（Ａ）は，端末Ａの表示部７２に表示される商品情報検索用画面の例である。この商品情報検索用画面において，「１．企業内商品情報検索」が選択されるとともに，検索対象の商品名，および商品カテゴリがある場合には商品カテゴリ名が入力され，下部にある実行ボタンが選択されると，商品名（および商品カテゴリ）を含む商品情報要求（図２８（Ａ））が端末Ａから企業内サーバ１０に送信され，企業内サーバ１０において検索が実行される。
【０１１５】
企業内サーバ１０において，入力された商品名の商品情報が発見されない場合には，企業内サーバ１０は端末Ａに該当する商品情報がないことを通知する。端末Ａの表示部７２には，図２３（Ｂ）に示す商品情報検索結果が表示される。
【０１１６】
この場合に，営業担当者は，顧客をグループのメンバとして，顧客の有する端末を管理サーバ９に登録する。その後，営業担当者は，管理サーバ９にアクセスして商品情報の取得を試みる。図２４（Ａ）は，外部商品情報検索を指定した場合の商品情報検索用画面の例である。「２．外部商品情報検索」が選択されるとともに，商品名（および商品カテゴリ）が入力され，実行ボタンが選択されると，商品名（および商品カテゴリ）を含む商品情報要求（図２８（Ａ））が端末Ａから管理サーバ９に送信される。
【０１１７】
管理サーバ９は，端末Ａから商品情報要求を受信すると，商品情報を有する１または２以上のコンテンツサーバ８にアクセスして，該当する商品情報およびその商品情報へアクセスするためのＵＲＬ（図２８（Ｂ））をダウンロードする。ダウンロードされた商品情報およびＵＲＬは，管理サーバ９に一時保存されるとともに，管理サーバ９から端末Ａに送信される。図２４（Ｂ）は，検索された商品情報を示す画面の例である。
【０１１８】
管理サーバ９は，コンテンツサーバ８から代金回収代行依頼を受信すると，キャリアaに代金回収代行依頼を送信し，コンテンツサーバ８に代金請求変更通知を送信する。また，管理サーバ９は，情報受信完了通知（図２８（Ｄ））を端末Ａに送信する。
【０１１９】
営業担当者が端末Ａの表示部７２により商品情報を確認した後，図２５（Ａ）に示すように，「１．情報配信」を選択するとともに，顧客名入力欄に顧客を指定する情報（氏名等）を入力して，実行ボタンを選択する。これにより，端末Ａから管理サーバ９へ情報共有要求（図２８（Ｃ））が送信される。情報共有要求の中には，管理サーバ９から送信されたＵＲＬと共有先端末番号（顧客の有する端末Ｂ）が含まれる。
【０１２０】
管理サーバ９は，情報共有要求に含まれるＵＲＬに基づいて，コンテンツサーバ８の商品情報にアクセスして商品情報をダウンロードし，一時的に商品情報を保存する。その後，管理サーバ９は，顧客の端末Ｂに商品情報をダウンロードする。
【０１２１】
その後，コンテンツサーバ８は，代金回収代行依頼を管理サーバ９に送信する。管理サーバ９は，キャリアaに代金回収代行依頼を送信するとともに，コンテンツサーバ８に代金請求変更通知を送信する。そして，管理サーバ９は，顧客が情報共有したことを示す情報共有完了通知（図２８（Ｄ））を端末Ａに送信し，端末Ａの表示部７２には，図２５（Ｂ）に示す画面が表示される。
【０１２２】
前述した商品情報の配信では，企業内サーバ１０に商品情報がない場合に，営業担当者が端末Ａを使用して管理サーバ９にアクセスし，商品情報の取得を試みているが，企業内サーバ１０に商品情報がない場合には，企業内サーバ１０が直接管理サーバ９にアクセスして商品情報を取得するように構成することもできる。図１８は，この場合の処理の流れを示すシーケンス図である。企業内サーバ１０が直接管理サーバ９にアクセスして商品情報を取得している点を除いて，図１７と同じであるので，ここではその説明を省略することとする。
【０１２３】
４．５．デパート等の販売支援のための情報配信２
企業内サーバ１０を所有しない企業の場合には，図１９に示すシーケンスのように処理することもできる。
【０１２４】
企業内の商品情報および顧客情報は，管理サーバ９内にあるデータベース９３にあらかじめ格納されているものとする。
【０１２５】
営業担当者と顧客が会話している時に，顧客から商品に対する問い合わせがあり，営業担当者は，端末Ａを使用して，その商品情報に関して管理サーバ９のデータベース９３を検索する。図２６（Ａ）は，商品検索用画面の例である。
【０１２６】
検索の結果，該当する商品情報が存在しない場合には，管理サーバ９は，営業担当者に該当する商品情報がないことを通知し，端末Ａの表示部７２には，図２６（Ｂ）に示す表示画面が表示される。また，管理サーバ９は，１または２以上のコンテンツサーバ８に商品情報を検索し，検索された商品情報およびその商品情報を指定するためのＵＲＬをダウンロードする。
【０１２７】
管理サーバ９は，ダウンロードされた情報を一時保存するとともに，この情報を営業担当者の端末Ａに送信する。その結果，端末Ａの表示部７２には，図２７（Ｂ）に示す画面が表示される。
【０１２８】
管理サーバ９は，コンテンツサーバ８から代金回収代行依頼を受信すると，キャリアaに対し代金回収代行依頼を送信する。その後，管理サーバ９は，コンテンツサーバ８に代金請求変更通知を送信する。また，管理サーバ９は，情報受信完了通知を端末Ａに送信する。
【０１２９】
営業担当者は，端末Ａの表示部７２により商品情報を確認後，端末Ａを使用して，管理サーバ９に情報共有要求を送信する。管理サーバ９は，情報共有要求を受信すると，コンテンツサーバ８からの商品情報をダウンロードし，一時的に商品情報を保存するとともに，顧客の端末Ｂヘ商品情報をダウンロードする。
【０１３０】
管理サーバ９は，コンテンツサーバ８から代金回収代行依頼を受信すると，キャリアaに対し代金回収代行依頼を送信し，その後，コンテンツサーバ８に代金請求変更通知を送信する。
【０１３１】
また，管理サーバ９は，顧客の情報共有が完了したことを示す情報受信完了通知を端末Ａに送信する。このようにして，商品情報が，営業担当者と顧客との間で共有される。
【０１３２】
（付記１）  複数の端末装置からなるグループに属する各端末装置の宛先を含む端末情報を記憶する第１の記憶部と，
前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信する第１の受信部と，
前記第１の受信部により受信された配信要求に含まれる前記アクセス情報に基づいて前記配信情報にアクセスし，該配信情報を受信する第２の受信部と，
前記第２の受信部により受信された前記配信情報を記憶する第２の記憶部と，前記第１の受信部により受信された配信要求に含まれる前記配信先情報および前記第１の記憶部に記憶された端末情報に基づいて配信先の端末装置の宛先を特定し，前記第２の記憶部に記憶された前記配信情報を，前記特定された宛先の端末装置に配信する第１の送信部と，
を備えている情報配信装置。
【０１３３】
（付記２）  付記１において，
前記配信情報が有料の場合には，前記配信情報の代金を請求する装置からの代金請求を受信する第３の受信部をさらに備えている情報配信装置。
【０１３４】
（付記３）  付記２において，
前記第３の受信部により受信された前記代金請求を，前記配信要求を送信した端末装置またはその端末装置が加入している通信事業者に送信する第２の送信部をさらに備えている情報配信装置。
【０１３５】
（付記４）  付記１から３のいずれか１つにおいて，
前記第１の送信部による前記配信情報の配信後，前記第２の記憶部に記憶された前記配信情報を削除する削除部をさらに備えている情報配信装置。
【０１３６】
（付記５）  付記１から４のいずれか１つにおいて，
前記第１の送信部による前記配信情報の配信後，配信が完了したことを，前記配信要求を送信した端末装置に送信する第３の送信部をさらに備えている情報配信装置。
【０１３７】
（付記６）  付記１から５のいずれか１つにおいて，
前記配信要求が，前記配信情報に付加される付加情報をさらに含み，
前記第１の送信部が，前記配信情報に加えて前記付加情報を配信する，
情報配信装置。
【０１３８】
（付記７）  付記１から６のいずれか１つにおいて，
前記配信要求が，前記配信情報を配信する時間を指定する配信時間をさらに含み，
前記第１の送信部が，前記配信時間に前記配信情報を配信する，
情報配信装置。
【０１３９】
（付記８）  付記１から７のいずれか１つにおいて，
前記第１の記憶部に記憶された端末装置情報が，該端末装置の表示部に表示可能な情報の形態を表す情報を含み，
前記表示可能な情報の形態を表す情報に基づいて，前記配信情報を，前記端末装置の表示部に表示できる形態に変換またはフィルタリングする変換／フィルタリング部をさらに備えている，
情報配信装置。
【０１４０】
（付記９）  付記１から８のいずれか１つにおいて，
前記第１の受信部が，前記配信要求を，他のサーバ装置を介して前記端末装置から受信する，
情報配信装置。
【０１４１】
（付記１０）  付記１から８のいずれか１つにおいて，
前記配信情報が，ゲームプログラムを含むプログラム，該プログラムおよび該プログラムのライセンス，地図情報，または商品情報である，情報配信装置。
【０１４２】
（付記１１）  複数の端末装置からなるグループに属する各端末装置の宛先を含む端末情報を，通信ネットワークを介して，該通信ネットワークに接続された情報配信装置に登録する登録部と，
前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する送信部と，
を備えている端末装置。
【０１４３】
（付記１２）  付記１１において，
前記配信要求が，前記配信情報に付加される付加情報をさらに含む，
端末装置。
【０１４４】
（付記１３）  付記１１または１２において，
前記配信要求が，前記配信情報を配信する時間を指定する配信時間をさらに含む端末装置。
【０１４５】
（付記１４）  付記１１から１３のいずれか１つにおいて，
前記配信情報が，ゲームプログラムを含むプログラム，該プログラムおよび該プログラムのライセンス，地図情報，または商品情報である，端末装置。
【０１４６】
（付記１５）  複数の端末装置と情報配信装置とが通信ネットワークに接続された情報配信システムであって，
前記端末装置は，複数の端末装置からなるグループに属する各端末装置の宛先を含む端末情報を，通信ネットワークを介して，前記情報配信装置に登録する登録部と，
前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する送信部と，を備え，
前記情報配信装置は，前記端末装置の前記登録部により登録された端末情報を記憶する第１の記憶部と，
前記送信部により送信された前記配信要求を受信する第１の受信部と，
前記第１の受信部により受信された配信要求に含まれる前記アクセス情報に基づいて前記配信情報にアクセスし，該配信情報を受信する第２の受信部と，
前記第１の受信部により受信された配信要求に含まれる前記配信先情報および前記第１の記憶部に記憶された端末情報に基づいて配信先の端末装置の宛先を特定し，前記第２の受信部により受信された配信情報を，前記特定された宛先の端末装置に配信する配信部と，を備えている，
情報配信システム。
【０１４７】
（付記１６）  複数の端末装置からなるグループに属する各端末装置の宛先を含む端末情報を記憶したサーバ装置が行う情報配信方法であって，
前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信し，
前記受信された配信要求に含まれる前記アクセス情報に基づいて前記配信情報にアクセスして該配信情報を受信し，
前記受信された配信要求に含まれる前記配信先情報および前記記憶された端末情報に基づいて配信先の端末装置の宛先を特定し，前記受信された配信情報を，前記宛先の端末装置に配信する，
情報配信方法。
【０１４８】
（付記１７）  通信ネットワークに接続された端末装置が行う情報配信方法であって，
複数の端末装置からなるグループに属する各端末装置の宛先を含む端末情報を，前記通信ネットワークを介して，該通信ネットワークに接続された情報配信装置に登録し，
前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する，
情報配信方法。
【０１４９】
（付記１８）  複数の端末装置と情報配信装置とが通信ネットワークに接続された情報配信システムにおける情報配信方法であって，
前記端末装置は，複数の端末装置からなるグループに属する各端末装置の宛先を含む端末情報を，通信ネットワークを介して，前記情報配信装置に登録し，
前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信し，
前記情報配信装置は，前記端末装置の前記登録部により登録された端末情報を記憶部に記憶し，
前記端末装置から送信された前記配信要求を受信し，
前記受信された配信要求に含まれる前記アクセス情報に基づいて前記配信情報にアクセスして該配信情報を受信し，
前記受信された配信要求に含まれる前記配信先情報および前記記憶部に記憶された端末情報に基づいて配信先の端末装置の宛先を特定し，前記受信された配信情報を，前記特定された宛先の端末装置に配信する，
情報配信方法。
【０１５０】
（付記１９）  複数の端末装置からなるグループに属する各端末装置の宛先を含む端末情報を記憶したコンピュータに，
前記グループに属する端末装置の全てまたは一部に配信する配信情報へアクセスするために必要となるアクセス情報と，前記グループに属する配信先の端末装置を指定する配信先情報とを含む配信要求を，前記グループに属する端末装置から受信する手順と，
前記受信された配信要求に含まれる前記アクセス情報に基づいて前記配信情報にアクセスして該配信情報を受信する手順と，
前記受信された配信要求に含まれる前記配信先情報および前記記憶された端末情報に基づいて配信先の端末装置の宛先を特定し，前記受信された配信情報を，前記宛先の端末装置に配信する手順と，
を実行させるための情報配信プログラム。
【０１５１】
（付記２０）  通信ネットワークに接続されたコンピュータに，
複数の端末装置からなるグループに属する各端末装置の宛先を含む端末情報を，前記通信ネットワークを介して，該通信ネットワークに接続された情報配信装置に登録する手順と，
前記グループに属する端末装置の全てまたは一部に配信する配信情報へアクセスするために必要となるアクセス情報と，前記グループに属する配信先の端末装置を指定する配信先情報とを含む配信要求を前記情報配信装置に送信する手順と，
実行させるための情報配信プログラム。
【０１５２】
【発明の効果】
本発明によれば，管理サーバが登録者の意図を代行して情報をグループのメンバの端末に配信するので，グループに属する端末のユーザは，情報を共有するための煩雑または複雑な手続を負担することなく，情報を共有することができる。
【０１５３】
また，登録者が情報の通信料金や情報の参照（獲得）に要する費用等を負担することにより，共有相手にこれらの費用を負担させることなく，情報共有を行うことができる。
【０１５４】
さらに，管理サーバが情報を端末に応じて変換／フィルタリングすることにより，端末に応じた情報送信を行うことができる。
【図面の簡単な説明】
【図１】本発明による通信ネットワークシステムの全体構成示すブロック図である。
【図２】端末情報データベースのデータ構造およびその内容を示す。
【図３】（Ａ）は，端末の全体の処理の流れを示すフローチャートであり，（Ｂ）は，管理サーバの全体の処理の流れを示すフローチャートである。
【図４】端末側の端末登録処理の流れを示すフローチャートである。
【図５】端末側の情報配信処理（すなわち図３（Ａ）のステップＳ３の詳細な処理）の流れを示すフローチャートである。
【図６】端末側の情報表示実行処理（すなわち図３（Ａ）のステップＳ４の詳細な処理）の流れを示すフローチャートである。
【図７】端末側の情報マーキング処理（すなわち図３（Ａ）のステップＳ５の詳細な処理）の流れを示すフローチャートである。
【図８】管理サーバ側の端末登録処理の流れを示すフローチャートである。
【図９】管理サーバ側の情報配信処理（すなわち図３（Ｂ）のステップＳ８の詳細な処理）の流れを示すフローチャートである。
【図１０】管理サーバ側の情報マーキング処理（すなわち図９のステップＳ３７の詳細な処理）の流れを示すフローチャートである。
【図１１】情報変換／フィルタリング処理（すなわち図９のステップＳ３８の詳細な処理）の流れを示すフローチャートである。
【図１２】端末登録処理の流れを示すシーケンス図である。
【図１３】情報配信処理の流れを示すシーケンス図である。
【図１４】共有情報である対戦型ゲームプログラムの配信処理の流れを示すシーケンス図である。
【図１５】マーキングを施した情報の配信の流れを示すシーケンス図である。
【図１６】ライセンスソフトウェアの情報配信処理の流れを示すシーケンス図である。
【図１７】企業内サーバと管理サーバとが連携して情報配信する処理の流れを示すシーケンス図である。
【図１８】企業内サーバと管理サーバとが連携して情報配信する処理の流れを示すシーケンス図である。
【図１９】商品情報の配信処理の流れを示すシーケンス図である。
【図２０】端末の表示部に表示される端末登録画面の一例であり，（Ａ）は端末登録メニュー画面であり，（Ｂ）は端末の登録が受け付けられた後の画面である。
【図２１】端末の表示部に表示された地図情報にマーキングを施し，配信するまでの一連の表示画面の流れを示している。
【図２２】端末の表示部に表示された地図情報にマーキングを施し，配信するまでの一連の表示画面の流れを示している。
【図２３】（Ａ）は，端末の表示部に表示される商品情報検索用画面の例であり，（Ｂ）は，商品情報検索結果の例である。
【図２４】（Ａ）は，外部商品情報検索を指定した場合の商品情報検索用画面の例であり，（Ｂ）は，検索された商品情報を示す画面の例である。
【図２５】（Ａ）は，情報配信画面の例であり，（Ｂ）は，情報共有完了通知が表示された画面の例である。
【図２６】（Ａ）は，商品検索用画面の例であり，（Ｂ）は，検索結果の画面の例である。
【図２７】（Ａ）は，商品検索用画面の例であり，（Ｂ）は，検索結果の画面の例である。
【図２８】送受信データのデータ構造を示す。
【符号の説明】
１  インターネット
２  ＣＡＴＶ通信ネットワーク
３  固定通信ネットワーク
４  移動通信ネットワーク
５〜７  端末
７１  入力部
７２  表示部
７３  通信部
７４  処理部
７５  メモリ
８  コンテンツサーバ
９  管理サーバ
９１  通信部
９２  処理部
９３  データベース
１０  企業内サーバ
【図１】
0004359401.tif 000002
【図２】
0004359401.tif 000003
【図３】
0004359401.tif 000004
【図４】
0004359401.tif 000005
【図５】
0004359401.tif 000006
【図６】
0004359401.tif 000007
【図７】
0004359401.tif 000008
【図８】
0004359401.tif 000009
【図９】
0004359401.tif 000010
【図１０】
0004359401.tif 000011
【図１１】
0004359401.tif 000012
【図１２】
0004359401.tif 000013
【図１３】
0004359401.tif 000014
【図１４】
0004359401.tif 000015
【図１５】
0004359401.tif 000016
【図１６】
0004359401.tif 000017
【図１７】
0004359401.tif 000018
【図１８】
0004359401.tif 000019
【図１９】
0004359401.tif 000020
【図２０】
0004359401.tif 000021
【図２１】
0004359401.tif 000022
【図２２】
0004359401.tif 000023
【図２３】
0004359401.tif 000024
【図２４】
0004359401.tif 000025
【図２５】
0004359401.tif 000026
【図２６】
0004359401.tif 000027
【図２７】
0004359401.tif 000028
【図２８】
0004359401.tif 000029